(57)【要約】【課題】自己の端末のメモリを過分に消費することなく、処理要求に対する画面遷移を発生させることなく、迅速な情報検索結果を表示させることを可能とするシステム、その方法及びそのプログラムの提供。【解決手段】通信ネットワークを介して接続されるＷｅｂサーバ、クライアント端末、文書サーバとからなり、クライアント端末上で表示する構造化言語ファイルβ１とは別個重畳的に、構造化言語ファイルγ１を、自動的、且つ、非同期に表示し、前記ファイルβ１における特定キーワードαに符合する説明情報α１をＷｅｂサーバを介して文書サーバから抽出した該説明情報に係る構造化言語ファイルを前記ファイルγ１としたことを特徴とする。【選択図】図３
2007122270.tif 000002
【特許請求の範囲】
【請求項１】
通信ネットワークを介して接続されるＷｅｂサーバ、クライアント端末、文書サーバとからなり、構造化言語ファイルにおける特定キーワードに符合する説明情報を、自動的に該構造化言語ファイルとは別個重畳的に、且つ、非同期に表示する情報検索表示システムであって、
Ｗｅｂサーバは、
クライアント端末から入力されたキーワードα及び該キーワードαが属する構造化言語ファイルβを認識する認識手段と、
該認識されたファイルβに対して該キーワードαを特定するタグを付加し、且つ、該Ｗｅｂサーバ内の参照先アドレスを付加して、新たな構造化言語ファイルβ１を生成する構造化言語加工手段１と、
該生成された構造化言語ファイルβ１をクライアント端末へ送信する送信手段と、
クライアント端末による自主的な前記参照先アドレスへのアクセスを受けて該ファイルβ１へ付加された前記特定タグを認識するタグ認識手段と、
該認識されたタグにより特定されたキーワードαを検出するキーワード検出手段と、
該検出されたキーワードαに符合する説明情報α１を文書サーバへ要求する説明情報要求手段と、
該説明情報要求に応じた文書サーバにより送信される前記説明情報α１に係る構造化言語ファイルγのＨＴＭＬソースの中から、文書情報の終始を示すタグ内に括られたソースを切り出す加工を施し、新たに構造化言語ファイルγ１を生成する構造化言語加工手段２と、
該生成された構造化言語ファイルγ１をキャッシュファイルとして保存する保存手段と、
該保存したキャッシュファイルを読み込み、該ファイルγ１および該ファイルγ１中の該キーワードαを含む段落タグに括られた部分のうちの一をクライアント端末へ転送する転送手段とを有し、
前記クライアント端末は、少なくとも
前記転送された構造化言語ファイルγ１および該ファイルγ１中の該キーワードαを含む段落タグに括られた部分のうちの一を認識する認識手段と、
前記認識された情報を、前記構造化言語ファイルβ１とは別個重畳的に表示する表示手段とを有し、
前記文書サーバは、
見出語と該見出語の説明情報とが対応付けられた集合情報からなる用語辞書を記憶した記憶手段と、
前記Ｗｅｂサーバからの前記説明情報要求に対して、該記憶手段から、該キーワードαに符合する見出語αを検出する見出語検出手段と、
該検出された見出語αに符合する説明情報α１を抽出する説明情報抽出手段と、
該抽出された説明情報α１を前記Ｗｅｂサーバへ送信する送信手段とを有することを特徴とする情報検索表示システム。
【請求項２】
通信ネットワークを介して接続されるＷｅｂサーバ、クライアント端末、文書サーバとからなり、クライアント端末上で表示される構造化言語ファイルβ１とは別個重畳的に、自動的、且つ、非同期に表示される構造化言語ファイルγ１は、前記構造化言語ファイルβ１において特定されたキーワードαに符合する説明情報として、Ｗｅｂサーバを介して文書サーバから抽出した該説明情報α１に係る構造化言語ファイルに基づくものであることを特徴とする情報検索表示システム。
【請求項３】
請求項２記載の構造化言語ファイルβ１は、クライアント端末により任意に指定された構造化言語ファイルβのＨＴＭＬソースに対し、Ｗｅｂサーバにより、説明情報を表示させるキーワードαを特定するタグの付与加工及び外部参照先URIデータの付与加工をすることにより、新たに生成されたファイルであることを特徴とする情報検索表示システム。
【請求項４】
請求項２記載の構造化言語ファイルγ1は、文書サーバから抽出されたキーワードαに符合する説明情報α１に係る構造化言語ファイルγのＨＴＭＬソースに対して、Ｗｅｂサーバが、文書情報の終始を示すタグに基づき、切り出す加工により新たに生成されたファイルであることを特徴とする情報検索表示システム。
【請求項５】
請求項４に記載の構造化言語ファイルγは、Ｗｅｂサーバによる検索要求に応えて文書サーバが抽出したキーワードαに符合する説明情報α１に係る構造化言語ファイルであることを特徴とする情報検索表示システム。
【請求項６】
請求項５に記載のＷｅｂサーバによる検索要求は、Ｗｅｂサーバにより加工された構造化言語ファイルβ１に基づき行われることを特徴とする情報検索表示システム。
【請求項７】
通信ネットワークを介して接続されるＷｅｂサーバ、文書サーバ、クライアント端末とからなり、構造化言語ファイルにおける特定キーワードに符合する説明情報を、自動的に該ファイルとは別個重畳的に、且つ、非同期に表示する情報検索表示方法であって、
Ｗｅｂサーバが、
クライアント端末から入力されたキーワードα及び該キーワードαが属する構造化言語ファイルβを認識するステップと、
該ファイルβに対して該キーワードαを特定するタグを付加し、且つ、該Ｗｅｂサーバ内の参照先アドレスを付加して、新たな構造化言語ファイルβ１を作成するステップと、
該ファイルβ１をクライアント端末へ送信するステップと、
クライアント端末による自主的な前記参照先アドレスへのアクセスを受けて該ファイルβ１へ付加された前記特定タグを認識するステップと、
該認識されたタグにより特定されたキーワードαを検出するステップと、
該検出されたキーワードαに符合する説明情報α１を文書サーバへ要求するステップと、
前記要求を受けた文書サーバが、
見出語と該見出語の説明情報とが対応付けられた集合情報からなる用語辞書を記憶した該記憶手段から、該キーワードαに符合する見出語αを検出するステップと、
該検出された見出語αに符合する説明情報α１を抽出するステップと、
該抽出された説明情報α１を前記Ｗｅｂサーバへ送信するステップと、
前記送信を受けたＷｅｂサーバが、
前記説明情報α１に係る構造化言語ファイルγのＨＴＭＬソースの中から、文書情報の終始を示すタグ内に括られたソースを切り出す加工を施し、構造化言語ファイルγ１を生成するステップと、
該ファイルγ１をキャッシュファイルとして保存するステップと、
該保存したキャッシュファイルを読み込み、該ファイルγ１および該ファイルγ１中、該キーワードαを含む段落タグに括られた部分のうちの一をクライアント端末へ転送するステップと、
前記転送を受けたクライアント端末が、
該構造化言語ファイルγ１および該ファイルγ１中の該キーワードαを含む段落タグに括られた部分のうちの一を認識するステップと、
該認識された情報を構造化言語ファイルβ１とは別個重畳的に表示するステップとからなることを特徴とする情報検索表示方法。
【請求項８】
通信ネットワークを介して接続されるＷｅｂサーバ、クライアント端末、文書サーバとからなり、構造化言語ファイルにおける特定キーワードに符合する説明情報を、自動的に該ファイルとは別個重畳的に、且つ、非同期に表示する情報検索表示システムに係る手段を機能させるための情報検索表示プログラムであって、
Ｗｅｂサーバコンピュータを、
クライアント端末から入力されたキーワードα及び該キーワードαが属する構造化言語ファイルβを認識する認識手段と、
該ファイルβに対して該キーワードαを特定するタグを付加し、且つ、該Ｗｅｂサーバ内の参照先アドレスを付加して、新たな構造化言語ファイルβ１を作成する構造化言語加工手段１と、
該ファイルβ１をクライアント端末へ送信する送信手段と、
クライアント端末による自主的な前記参照先アドレスへのアクセスを受けて該ファイルβ１へ付加された前記特定タグを認識するタグ認識手段と、
該認識されたタグにより特定されたキーワードαを検出するキーワード検出手段と、
該検出されたキーワードαに符合する説明情報α１を文書サーバへ要求する説明情報要求手段と、
該説明情報要求に応じた文書サーバにより送信される前記説明情報α１に係る構造化言語ファイルγのＨＴＭＬソースの中から、文書情報の終始を示すタグ内に括られたソースを切り出す加工を施し、構造化言語ファイルγ１を生成する構造化言語加工手段２と、
該ファイルγ１をキャッシュファイルとして保存する保存手段と、
該保存したキャッシュファイルを読み込み、該ファイルγ１および該ファイルγ１中、該キーワードαを含む段落タグに括られた部分、のうちの一をクライアント端末へ転送する転送手段として機能させ、
クライアント端末コンピュータを、少なくとも
前記Ｗｅｂサーバより、転送された構造化言語ファイルγ１および該ファイルγ１中の該キーワードαを含む段落タグに括られた部分のうちの一を認識する認識手段と、
前記認識された情報を、構造化言語ファイルβ１とは別個重畳的に表示する表示手段として機能させ、
文書サーバコンピュータを、
見出語と該見出語の説明情報とが対応付けられた集合情報からなる用語辞書を記憶した記憶手段と、
Ｗｅｂサーバからの前記説明情報要求に対して、該記憶手段から、該キーワードαに符合する見出語αを検出する見出語検出手段と、
該検出された見出語αに符合する説明情報α１を抽出する説明情報抽出手段と、
該抽出された説明情報α１を前記Ｗｅｂサーバへ送信する送信手段として機能させるための情報検索表示プログラム。
【発明の詳細な説明】
【技術分野】
【０００１】
本発明は、クライアント端末側で特定されるキーワードに対応する説明情報を、通信ネットワークを介して接続されるＷｅｂサーバを経由して同ネットワーク上の他のデータべースとの間での自動データ検索を可能とすることにより、迅速に当該検索結果を表示させることを目的とするシステム、その方法及びそのプログラムに関する。
【背景技術】
【０００２】
近年、オンライン辞書という、インターネットなどの通信ネットワークを介して辞書コンテンツを提供するサービスが知られている。当該サービスは、一般ユーザが、当該サービス提供業者が開設する通信ネットワーク上のサイトにおいて、自己の端末を操作して調べたいキーワードを入力し、該サイトが備える辞書コンテンツから当該キーワードに対応する説明情報の転送を受け、入手するというものである。
【０００３】
上記オンライン辞書を発展させたサービスとして、時事用語等の標準辞書には存在しないような語句群を収集可能とした技術が知られている（例えば、特許文献１参照。）。
【０００４】
前記辞書コンテンツの提供サービスや前記文献に係る技術においては、ユーザ端末から発したＨＴＴＰリクエストの度に、ブラウザの画面遷移が発生する。即ち、図２に示すように、ユーザは、リクエスト後、そのリクエストに対する処理結果が表示されるまで待機時間ｔが発生することとなる。
【０００５】
これは、従来のＷｅｂアプリケーションの動作モデルが、インタフェイスに対するユーザ側の操作により発生するコンテンツ提供サーバへのＨＴＴＰリクエストを取得したサーバーが、当該リクエストに係るデータを解析、処理等を行った後、ユーザに対してＨＴＭＬページを返すこととしていたことによる。
【０００６】
【特許文献１】特開２００４−７０５４７号公報
【発明の開示】
【発明が解決しようとする課題】
【０００７】
上述の通り、従来技術によれば個々の処理要求に対してユーザは、画面遷移を感じざるを得ない。そして、複数の処理を要求する場合においては、その処理毎にリクエスト結果が表示されるのを待たされれることを余儀なくされ、ユーザはその間、端末を利用することができない。また、同じキーワードであっても、Ｗｅｂアプリケーションの動作モデルが上記の処理構造となっている以上、２度目以降も、画面遷移は発生してしまうこととなる。
【０００８】
尚、一旦検索して表示させた情報を、随意に自己の端末で利用する場合には、自己の記憶装置内に保存することで、表示待ち時間の問題は解消できるところ、保存に対応するメモリを要する点において好ましくない。
【０００９】
以上の点に鑑み、本発明は、自己の端末のメモリを過分に消費することなく、処理要求に対する画面遷移を発生させず、且つ、迅速な情報検索結果を表示させるシステムを提供することを目的とする。
【課題を解決するための手段】
【００１０】
上記課題を解決するために、本発明は次の構成とした。即ち、請求項１に記載の情報検索表示システムは、通信ネットワークを介して接続されるＷｅｂサーバ、クライアント端末、文書サーバとからなり、構造化言語ファイルにおける特定キーワードに符合する説明情報を、自動的に該構造化言語ファイルとは別個重畳的に、且つ、非同期に表示する情報検索表示システムとし、Ｗｅｂサーバは、クライアント端末から入力されたキーワードα及び該キーワードαが属する構造化言語ファイルβを認識する認識手段と、該認識されたファイルβに対して該キーワードαを特定するタグを付加し、且つ、該Ｗｅｂサーバ内の参照先アドレスを付加して、新たな構造化言語ファイルβ１を生成する構造化言語加工手段１と、該生成された構造化言語ファイルβ１をクライアント端末へ送信する送信手段と、クライアント端末による自主的な前記参照先アドレスへのアクセスを受けて該ファイルβ１へ付加された前記特定タグを認識するタグ認識手段と、該認識されたタグにより特定されたキーワードαを検出するキーワード検出手段と、該検出されたキーワードαに符合する説明情報α１を文書サーバへ要求する説明情報要求手段と、該説明情報要求に応じた文書サーバにより送信される前記説明情報α１に係る構造化言語ファイルγのＨＴＭＬソースの中から、文書情報の終始を示すタグ内に括られたソースを切り出す加工を施し、新たに構造化言語ファイルγ１を生成する構造化言語加工手段２と、該生成された構造化言語ファイルγ１をキャッシュファイルとして保存する保存手段と、該保存したキャッシュファイルを読み込み、該ファイルγ１および該ファイルγ１中の該キーワードαを含む段落タグに括られた部分のうちの一をクライアント端末へ転送する転送手段とを有し、前記クライアント端末は、少なくとも前記転送された構造化言語ファイルγ１および該ファイルγ１中の該キーワードαを含む段落タグに括られた部分のうちの一を認識する認識手段と、前記認識された情報を、前記構造化言語ファイルβ１とは別個重畳的に表示する表示手段とを有し、前記文書サーバは、見出語と該見出語の説明情報とが対応付けられた集合情報からなる用語辞書を記憶した記憶手段と、前記Ｗｅｂサーバからの前記説明情報要求に対して、該記憶手段から、該キーワードαに符合する見出語αを検出する見出語検出手段と、該検出された見出語αに符合する説明情報α１を抽出する説明情報抽出手段と、該抽出された説明情報α１を前記Ｗｅｂサーバへ送信する送信手段とを有することを特徴としている。
【００１１】
また、請求項２に記載の情報検索表示システムは、通信ネットワークを介して接続されるＷｅｂサーバ、クライアント端末、文書サーバとからなり、クライアント端末上で表示される構造化言語ファイルβ１とは別個重畳的に、自動的、且つ、非同期に表示される構造化言語ファイルγ１が、前記構造化言語ファイルβ１において特定されたキーワードαに符合する説明情報として、Ｗｅｂサーバを介して文書サーバから抽出した該説明情報α１に係る構造化言語ファイルに基づくものであることを特徴としている。
【００１２】
また、請求項３に記載の情報検索表示システムは、請求項２に記載の構成において、構造化言語ファイルβ１が、クライアント端末により任意に指定された構造化言語ファイルβのＨＴＭＬソースに対し、Ｗｅｂサーバにより、説明情報を表示させるキーワードαを特定するタグの付与加工及び外部参照先URIデータの付与加工をすることにより、新たに生成されたファイルであることを特徴としている。
【００１３】
また、請求項４に記載の情報検索表示システムは、請求項２に記載の構成において、構造化言語ファイルγ1が、文書サーバから抽出されたキーワードαに符合する説明情報α１に係る構造化言語ファイルγのＨＴＭＬソースに対して、Ｗｅｂサーバが、文書情報の終始を示すタグに基づき、切り出す加工により新たに生成されたファイルであることを特徴としている。
【００１４】
また、請求項５に記載の情報検索表示システムは、請求項４に記載の構成において、構造化言語ファイルγが、Ｗｅｂサーバによる検索要求に応えて文書サーバが抽出したキーワードαに符合する説明情報α１に係る構造化言語ファイルであることを特徴としている。
【００１５】
また、請求項６に記載の情報検索表示システムは、請求項５に記載の構成において、Ｗｅｂサーバによる検索要求が、Ｗｅｂサーバにより加工された構造化言語ファイルβ１に基づき行われることを特徴としている。
【００１６】
また、請求項７に記載の情報検索表示方法は、通信ネットワークを介して接続されるＷｅｂサーバ、文書サーバ、クライアント端末とからなり、構造化言語ファイルにおける特定キーワードに符合する説明情報を、自動的に該ファイルとは別個重畳的に、且つ、非同期に表示する情報検索表示方法とし、Ｗｅｂサーバが、クライアント端末から入力されたキーワードα及び該キーワードαが属する構造化言語ファイルβを認識するステップと、該ファイルβに対して該キーワードαを特定するタグを付加し、且つ、該Ｗｅｂサーバ内の参照先アドレスを付加して、新たな構造化言語ファイルβ１を作成するステップと、該ファイルβ１をクライアント端末へ送信するステップと、クライアント端末による自主的な前記参照先アドレスへのアクセスを受けて該ファイルβ１へ付加された前記特定タグを認識するステップと、該認識されたタグにより特定されたキーワードαを検出するステップと、該検出されたキーワードαに符合する説明情報α１を文書サーバへ要求するステップと、前記要求を受けた文書サーバが、見出語と該見出語の説明情報とが対応付けられた集合情報からなる用語辞書を記憶した該記憶手段から、該キーワードαに符合する見出語αを検出するステップと、該検出された見出語αに符合する説明情報α１を抽出するステップと、該抽出された説明情報α１を前記Ｗｅｂサーバへ送信するステップと、前記送信を受けたＷｅｂサーバが、前記説明情報α１に係る構造化言語ファイルγのＨＴＭＬソースの中から、文書情報の終始を示すタグ内に括られたソースを切り出す加工を施し、構造化言語ファイルγ１を生成するステップと、
該ファイルγ１をキャッシュファイルとして保存するステップと、該保存したキャッシュファイルを読み込み、該ファイルγ１および該ファイルγ１中、該キーワードαを含む段落タグに括られた部分のうちの一をクライアント端末へ転送するステップと、前記転送を受けたクライアント端末が、該構造化言語ファイルγ１および該ファイルγ１中の該キーワードαを含む段落タグに括られた部分のうちの一を認識するステップと、該認識された情報を構造化言語ファイルβ１とは別個重畳的に表示するステップとからなることを特徴としている。
【００１７】
また、請求項８に記載の情報検索表示プログラムは、通信ネットワークを介して接続されるＷｅｂサーバ、クライアント端末、文書サーバとからなり、構造化言語ファイルにおける特定キーワードに符合する説明情報を、自動的に該ファイルとは別個重畳的に、且つ、非同期に表示する情報検索表示システムに係る手段を機能させるための情報検索表示プログラムとし、Ｗｅｂサーバコンピュータを、クライアント端末から入力されたキーワードα及び該キーワードαが属する構造化言語ファイルβを認識する認識手段と、該ファイルβに対して該キーワードαを特定するタグを付加し、且つ、該Ｗｅｂサーバ内の参照先アドレスを付加して、新たな構造化言語ファイルβ１を作成する構造化言語加工手段１と、該ファイルβ１をクライアント端末へ送信する送信手段と、クライアント端末による自主的な前記参照先アドレスへのアクセスを受けて該ファイルβ１へ付加された前記特定タグを認識するタグ認識手段と、該認識されたタグにより特定されたキーワードαを検出するキーワード検出手段と、該検出されたキーワードαに符合する説明情報α１を文書サーバへ要求する説明情報要求手段と、該説明情報要求に応じた文書サーバにより送信される前記説明情報α１に係る構造化言語ファイルγのＨＴＭＬソースの中から、文書情報の終始を示すタグ内に括られたソースを切り出す加工を施し、構造化言語ファイルγ１を生成する構造化言語加工手段２と、該ファイルγ１をキャッシュファイルとして保存する保存手段と、該保存したキャッシュファイルを読み込み、該ファイルγ１および該ファイルγ１中、該キーワードαを含む段落タグに括られた部分、のうちの一をクライアント端末へ転送する転送手段として機能させ、クライアント端末コンピュータを、少なくとも前記Ｗｅｂサーバより、転送された構造化言語ファイルγ１および該ファイルγ１中の該キーワードαを含む段落タグに括られた部分のうちの一を認識する認識手段と、前記認識された情報を、構造化言語ファイルβ１とは別個重畳的に表示する表示手段として機能させ、文書サーバコンピュータを、見出語と該見出語の説明情報とが対応付けられた集合情報からなる用語辞書を記憶した記憶手段と、Ｗｅｂサーバからの前記説明情報要求に対して、該記憶手段から、該キーワードαに符合する見出語αを検出する見出語検出手段と、
該検出された見出語αに符合する説明情報α１を抽出する説明情報抽出手段と、
該抽出された説明情報α１を前記Ｗｅｂサーバへ送信する送信手段として機能させることを特徴としている。
【発明の効果】
【００１８】
本発明によれば、クライアント端末利用者が、自身が作成したＨＴＭＬなどの構造化言語ファイル上にある所定のキーワードを、簡易な手順で、通信ネットワーク上にある所定のサーバ内に格納されている特定の情報とリンクさせることができ、且つ、該キーワードに関連付けられたテキスト情報が、自動的に、前記構造化言語ファイルとは別個重畳的に、且つ、画面遷移することなく、クライアント端末へ自動で表示させることが可能となる。
【発明を実施するための最良の形態】
【００１９】
本実施の形態について図面を参照して説明する。
図１は本発明に係るＷｅｂサーバと、クライアント端末と、文書サーバのネットワーク構成の概略を示す図、図２は従来のWebアプリケーションモデルにおける通信シーケンスを示す図、図３は変換するキーワード及びＨＴＭＬファイルを指定する画面を示す図、図４（ａ）は変換処理を受けたＨＴＭＬファイルにおいて所定のキーワードにつき変換を受けたことを示す図、図４（ｂ）は別のキーワードへのリンク表示がなされたことを示す図、図５は構造化言語ファイルの変遷を示す図、図６は本発明に係る通信シーケンスを示す図である。
【００２０】
図中、１はＷｅｂサーバ、２は通信ネットワーク、３はクライアント端末、４は文書サーバである。
【００２１】
本実施の形態による本発明に係るシステムは、Ｗｅｂサーバ１がインターネット等の通信ネットワーク２を介してクライアント端末３及び文書サーバ４と接続した構成をとる（図１）。
【００２２】
本発明を構成する端末３は、ＣＲＴ若しくは液晶ディスプレイ等の表示手段、キーボードやマウス等の入力手段（図示せず）を備え、通信ネットワーク２を介してＷｅｂサーバ１へアクセスし、情報を受信するための必要な通信手段の他、コンピュータが通常有するコンピュータを作動させるための必要な手段、即ち、所定のプログラムや必要なデータ、当該プログラム等の実行を処理する制御装置、演算装置、レジスタ、プログラムカウンタ、クロック等からなる中央処理装置（ＣＰＵ）、主記憶装置、補助記憶装置、入出力手段等のハードウエアは当然に有するものである。また、必要なソフトウエアのほか、前記ハードウエアとソフトウエアを管理するオペレーティングシステムを備えるものである。
【００２３】
本発明を構成するＷｅｂサーバ１は、クライアント端末３や文書サーバ４との通信を行うのに必要な通信手段のほか、少なくとも以下に掲げる機能を有する。
キーワード認識手段。キーワード認識手段は、クライアント端末３から入力された特定のキーワードαを、構造化言語ファイルβに係る変換予定キーワードとして認識する機能を司る。
ここで、キーワードαとは、ユーザが自身で作成した任意の構造化言語ファイルβに含まれるコンテンツであって、更なる情報を付加させるべく変換を希望するキーワードをいう。
【００２４】
構造化言語加工手段１。構造化言語加工手段１は、クライアント端末３から入力された特定キーワードαに対し、該キーワードが属する構造化言語ファイルβにおけるHTMLファイルのソースコードへ、変換予定キーワードとして識別するためのタグを付加し、且つ、Ｗｅｂサーバ１内の参照先アドレスを付加し、新たに構造化言語ファイルβ１を生成する機能を司る。
【００２５】
送信手段。送信手段は、前記生成された構造化言語ファイルβ１をクライアント端末３へ送信する機能を司る。
【００２６】
タグ認識手段。タグ認識手段は、クライアント端末３において、構造化言語ファイルβ１に係るブラウザが起動すると、前記付加された参照先アドレスへの自主的なアクセスが行われる。その際、Ｗｅｂサーバ１は構造化言語ファイルβ１に付加された変換予定キーワードαに付加されたタグを認識する機能を司る。
【００２７】
キーワード検出手段。キーワード検出手段は、前記タグ認識手段により認識されたタグに係るキーワードαを検出する機能を司る。
【００２８】
説明情報要求手段。説明情報要求手段は、前記検出されたキーワードαに符合する説明情報α１を返すよう通信ネットワーク上にある文書サーバ４に対して要求する機能を司る。
【００２９】
構造化言語加工手段２。構造化言語加工手段２は、文書サーバ４から返された該キーワードαに符合する説明情報α１に係る構造化言語ファイルγ（後述）に係るＨＴＭＬソースから、キーワード毎の説明部分だけを、該ソース内の文書情報の終始を示すタグを目印として切り出す加工を施し、所定のオブジェクト指向スクリプト言語を構造化言語ファイルγへ埋め込み、新たに構造化言語ファイルγ１を生成する機能を司る。
【００３０】
保存手段。保存手段は、前記構造化言語ファイルγ１をＷｅｂサーバ１のキャッシュファイルに保存する機能を司る。
【００３１】
転送手段。転送手段は、前記保存した構造化言語ファイルγ１に係るキャッシュファイルを読み込み、該ファイルγ１を、若しくは該ファイルγ１中、該キーワードαを含む段落タグに括られた部分を、クライアント端末３へ転送する機能を司る。
【００３２】
本発明を構成する文書サーバ４は、少なくとも以下に掲げる機能を有する。
記憶手段。記憶手段は、検索の対象となる見出語と該見出語に符合する説明情報とが対応付けられた集合情報を記憶する機能を司る。
【００３３】
見出語検出手段。見出語検出手段は、Ｗｅｂサーバ１から要求されたキーワードαに符合する見出語を検出する機能を司る。
【００３４】
説明情報抽出手段。説明情報抽出手段は、前記検出された見出語に符合する説明情報を前記記憶手段から抽出する機能を司る。
【００３５】
送信手段。送信手段は、前記抽出されたキーワードαに符合する説明情報α１に係る構造化言語ファイルγをＷｅｂサーバ１へ送信する機能を司る。
【００３６】
以下に、本発明の実施の形態につきその具体的な流れを説明する。
〔第１段階／図５〕
ユーザが自己の任意のＨＴＭＬファイルに属するキーワードにつき、変換処理を受ける過程につき説明する。
【００３７】
本発明に係るシステムによるサービスを受けるため、ユーザは自己の端末（クライアント端末３）に係るＷｅｂブラウザを起動し、通信ネットワークを介して、本システムを採用するＷｅｂサーバ１へのアクセスを行う。尚、この時、ユーザは事前に自ら作成したＨＴＭＬ形式による構造化言語ファイルβを作成し、ローカル（クライアント端末３内の所定の格納領域）に保存しているものとする。
【００３８】
Ｗｅｂサーバ１へアクセスすると、該クライアント端末３の表示画面上に、ユーザが変換を希望するキーワードを変換処理を受け付ける画面が表れる（図３）。ここで「変換するキーワード（改行毎）」と題した入力欄へ「インターネット」「レンタルサーバ」というキーワード（以下、キーワードαと称す。）を入力する。
【００３９】
次に、「参照」ボタンをクリックして、キーワードαが属する構造化言語ファイルβを指定した後、「変換」ボタンをクリックすると、該構造化言語ファイルβにリンクがつき、変換処理は完了する。
【００４０】
前記変換処理は、Ｗｅｂサーバ１が有する構造化言語加工手段１により、変換前の構造化言語ファイルβのソースコード中、キーワードαに対して、変換予定キーワードとして識別するためのタグが付与され、且つ、Ｗｅｂサーバ１内の参照先アドレスを付加し、新たに構造化言語ファイルβ１を生成するというものである。そして、Ｗｅｂサーバ１が有する送信手段により、該生成された構造化言語ファイルβ１がクライアント端末３へ送信され、クライアント端末３内の所定の領域へ格納されて変換処理を完了する。
【００４１】
〔第２段階／図５〕
次に、クライアント端末３において、変換を受けたＨＴＭＬファイルβ１につきＷｅｂブラウザを起動し、通信ネットワーク上に置くと、キーワードαへのイベントの準備が行われる。即ち、キーワードαに対する説明情報を要求する処理実行の準備段階である。尚。画面上、該キーワードαはリンクが張られたことを示すべく太字になっている。
【００４２】
ここで、マウスポインタがキーワードαに係るキーワードリンクを通過すると、或いはキーワードαに係るキーワードリンクをマウスなどのポインティングデバイスによりクリックすると、該イベントが自動的に駆動する。つまり、キーワードαと該キーワードαに符合する説明情報の内、先頭情報だけ欲しいというパラメータで、Ｗｅｂサーバ１にリクエストを行うものである。これにより、オブジェクト指向スクリプト言語で構成されたサーバ通知処理を内部で起動し、Ｗｅｂサーバ１は、構造化言語ファイルβ１中の特定タグを、タグ認識手段により認識し、キーワード検出手段により、該タグに係るキーワードαを検出する。
【００４３】
〔第３段階／図５〕
次に、Ｗｅｂサーバ１は、説明情報要求手段により、前記検出されたキーワードαに符合する説明情報α１を返すよう文書サーバ４に対して要求する。尚、図示しないが、Ｗｅｂサーバ１は、文書サーバ４へ要求する前に、該説明情報α１に係るキャッシュファイルがあるか否かチェックし、該キャッシュファイルが既にある場合には、文書サーバへ要求することなく、該ファイル、若しくは該ファイルγ１中、該キーワードαを含む段落タグに括られた部分を、クライアント端末へ転送することとなる。
【００４４】
そして、該要求を受けた文書サーバ４は、見出語検出手段により、Ｗｅｂサーバ１から要求されたキーワードαに符合する見出語αを検出し、説明情報抽出手段により、該検出された見出語αに符合する説明情報α１を記憶手段から抽出する。
【００４５】
前記抽出されたキーワードαに符合する説明情報α１に係る構造化言語ファイルγを、送信手段によりＷｅｂサーバ１へ送信する。
【００４６】
該構造化言語ファイルγを受信したＷｅｂサーバは、クライアント端末３に該キーワードαに符合する説明情報α１を、構造化言語ファイルβ１のコンテンツ表示とは別に、ポップアップウィンドウとして表示させるべく読み出し加工を行う。
即ち、構造化言語加工手段２により、前記表示を可能とすべく所定のオブジェクト指向スクリプト言語を構造化言語ファイルγへ埋め込み、新たに、ＨＴＭＬ書式（若しくはＸＭＬ書式）による構造化言語ファイルγ１を生成する。更に具体的には、該構造化言語ファイルγに係るＨＴＭＬソースから、ナビゲーション部分やフッタなどを除いたキーワード毎の説明部分だけを、該ソース内の「＜！――ｓｔａｒｔ  ｃｏｎｔｅｎｔ――！＞」「＜！――ｅｎｄ  ｃｏｎｔｅｎｔ――！＞」という文書情報の終始を示すタグを目印として、切り出す加工を施す。
【００４７】
Ｗｅｂサーバ１は、保存手段により、前記生成された構造化言語ファイルγ１をキャッシュファイルとして保存した後、該キャッシュファイルを読み込み、該キーワードαを含む＜P＞タグで括られている先頭部分のみを、クライアント端末３へ転送する。
【００４８】
前記転送を受けたクライアント端末３は、テンポラリーファイルとして、該キーワードαを含む＜P＞タグで括られている先頭部分のみを一時保存するとともに、Ｗｅｂブラウザが、構造化言語ファイルβ１にかかるコンテンツとは別に、ポップアップウインドウとして、画面上に該キーワードαを含む＜P＞タグで括られている先頭部分に係るコンテンツを表示する（図４）。
【００４９】
尚、Ｗｅｂサーバ１から前記転送を受けたクライアント端末３は、該キーワードαを含む＜P＞タグで括られている先頭部分中に、別のキーワードへのリンクの有無を検索し、別のキーワードへのリンクがある場合には、図４（ｂ）に示すように、クリック時に該別のキーワードの説明がポップアップ表示されるよう所定の設定を施す。以上が、図５に示す第３段階である。
【００５０】
本発明によれば、図６に示すように、キーワードαに符号する説明情報α１の内、先頭情報が、クライアント端末３自身のテンポラリーファイルとして格納されていることから、一旦、ポップアップウインドウを閉じた後、更に、該α１を表示させる場合にも待ち時間ｔがゼロとなり、画面の遷移を感じることなく、ユーザは端末を利用することが可能となる。
【００５１】
〔第４段階／図５〕
更に、図４（ａ）等に示す「全て表示」をクリックすると、クライアント端末３は、キーワードαと全文欲しいというパラメータでＷｅｂサーバ１にリクエスト（図６における「HTTPリクエスト2」）を行う。これを受けたＷｅｂサーバ１は、キーワードαに符合する説明情報α１に係るキャッシュファイルの内容全文を返すこととなる。係る処理により、再度、文書サーバ４における検索、抽出処理過程を経ずに、Ｗｅｂサーバ１の該キャッシュファイルからダイレクトにデータを得ることが可能なため、殆ど待機時間なく（図６）、迅速にクライアント端末３の画面上に表示させることが可能となる。
【産業上の利用可能性】
【００５２】
本発明によれば、過大な設備投資を要する文書サーバを自ら運用することなく、通信ネットワーク上のあらゆる種類の文書サーバと接続し、該サーバに係る辞書情報を、クライアント端末利用者は、任意により自己の構造化言語ファイルへと転用可能である。よって、例えば、専門技術的な文章であっても、本発明の応用により、広く一般に知らしめることが、容易に実現可能となり、各種専門分野に対する周知方を図ることが可能となる。
【００５３】
更に、辞書的な機能のみならず、文書サーバ内に、所定のキーワードに対応付けた企業広告を集合情報として格納しておくことにより、新たな企業広告としての利用可能性も広がるものと考えられる。
【図面の簡単な説明】
【００５４】
【図１】ネットワーク構成の概略を示す図である。
【図２】従来のWebアプリケーションモデルにおける通信シーケンスを示す図である。
【図３】変換するキーワード及びＨＴＭＬファイルを指定する画面を示す図である。
【図４】（ａ）変換処理を受けたＨＴＭＬファイルにおいて所定のキーワードにつき変換を受けたことを示す図である。                                                    （ｂ）別のキーワードへのリンク表示がなされたことを示す図である。
【図５】構造化言語ファイルの変遷を示す図である。
【図６】本発明に係る通信シーケンスを示す図である。
【符号の説明】
【００５５】
１  Ｗｅｂサーバ
２  通信ネットワーク
３  クライアント端末
４  文書サーバ
【図１】
2007122270.tif 000003
【図２】
2007122270.tif 000004
【図３】
2007122270.tif 000005
【図４】
2007122270.tif 000006
【図５】
2007122270.tif 000007
【図６】
2007122270.tif 000008